(57)【要約】【課題】表示画面が汚れ易くて清掃を要するエリアをユーザに応じて効率よく清掃する。【解決手段】表示を行う表示画面上に、所定領域へのタッチ操作により情報入力を可能とするタッチパネル本体２１Ｂが設けられたタッチパネル表示装置１において、タッチパネル本体２１Ｂは複数のユーザに応じた複数のタッチパネルエリアから構成され、タッチパネルエリア単位で清掃対象エリアを選択する清掃エリア選択部としての清掃エリア選択スイッチ３と、清掃エリア選択スイッチ３が選択した清掃対象エリアに対してタッチパネル本体２１Ｂのタッチ操作を無効または有効に切り替えるパネルモード切替手段とを有している。【選択図】図１
2014063379.tif 000002
【特許請求の範囲】
【請求項１】
表示を行う表示画面上に、所定領域へのタッチ操作により情報入力を可能とするタッチパネルが設けられたタッチパネル表示装置において、
該タッチパネルは複数のユーザに応じた複数のタッチパネルエリアから構成され、該タッチパネルエリア単位で清掃対象エリアを選択する清掃エリア選択部と、
該清掃エリア選択部が選択した該清掃対象エリアに対して該タッチパネルのタッチ操作を無効または有効に切り替えるパネルモード切替手段とを有し、
該パネルモード切替手段は、清掃選択状態か否かを判定する清掃状態判定部と、
該判定清掃状態判定部の判定結果に応じて前記タッチパネルに対してタッチ操作を無効または有効に制御するタッチパネル制御部とを有し、
該タッチパネルの画面上に、複数の清掃エリア選択部が選択できる複数のユーザに共通な共通清掃対象エリアを有し、
該清掃状態判定部は、該共通清掃対象エリアを選択可能な全ての該複数の清掃エリア選択部が該共通清掃対象エリアとして設定したときにのみ、当該共通清掃対象エリアを清掃選択領域として設定するタッチパネル表示装置。
【請求項２】
前記清掃状態判定部は、前記清掃モードの設定対象の前記共通清掃対象エリアおよびユーザに対応した清掃対象エリアに対して共通清掃状態情報が作成され、作成された該共通清掃状態情報を一旦記憶する記憶部を有している請求項１に記載のタッチパネル表示装置。
【請求項３】
前記清掃エリア選択部からの入力共通清掃情報が前記共通清掃対象エリアのエリア情報としてｎ人の全ユーザから前記清掃状態判定部に伝えられて、該エリア情報に対応した前記記憶部のフラグを“０ｎ“に設定し、該フラグの情報が前記タッチパネル制御部に伝えられて、該タッチパネル制御部は、該エリア情報に対応した清掃対象エリアのタッチ操作を無効にするように前記タッチパネルを制御し、これを受けて前記記憶部のフラグを“１ｎ“に設定する請求項２に記載のタッチパネル表示装置。
【請求項４】
前記清掃エリア選択部からの入力共通解除情報が前記共通清掃対象エリアのエリア情報として前記清掃状態判定部に伝えられ、該エリア情報に対応した前記記憶部のフラグを前記“１ｎ“から“１０“に設定し、該フラグの情報が前記タッチパネル制御部に伝えられて、該タッチパネル制御部は、該エリア情報に対応した該共通清掃対象エリアのタッチ操作を有効にするように前記タッチパネルを制御し、これを受けて前記記憶部のフラグを“００“に設定する請求項３に記載のタッチパネル表示装置。
【請求項５】
請求項１〜４のいずれかに記載のタッチパネル表示装置を用いて情報処理する情報処理装置。
【発明の詳細な説明】
【技術分野】
【０００１】
本発明は、液晶パネルや有機エレクトロルミネッセンスパネルなどの画像表示パネルの表示画面上にタッチパネルを重ねて位置入力可能とするタッチパネル表示装置および、これを用いて情報処理を行う情報処理装置に関する。
【背景技術】
【０００２】
従来から、携帯電話装置、携帯情報端末（ＰＤＡ）、デジタルカメラおよびマルチメディアプレーヤなど、多くの携帯型電子情報機器の表示装置には、液晶モジュール（液晶表示装置）や有機エレクトロルミネッセンスモジュール（有機ＥＬ表示装置）など薄型化した表示装置が利用されている。
【０００３】
現在、携帯型電子情報機器などの情報端末装置の表示装置にはタッチパネルを備えたタッチパネル表示装置が普及している。タッチパネルは、表示装置に表示される表示画面の所定領域に指やタッチペンを接触させたり近付けることにより、その表示画面の所定領域に応じた情報入力を行うことができる。タッチパネルを備えた従来のタッチパネル表示装置では、指から付着する異物によってその表示画面が汚れてしまうため、表示画面上を清掃する必要が生じる。
【０００４】
タッチパネルを備えた従来のタッチパネル表示装置において、タッチパネル画面上を清掃する方法としては、例えば特許文献１に提案されている清掃方法がある。
【０００５】
図１３は、特許文献１に開示されている従来のタッチパネル表示装置の要部構成例を示すブロック図である。
【０００６】
図１３において、従来のタッチパネル表示装置１００は、表示画面上に指やタッチペンでタッチすることによりそのタッチ領域に応じた情報入力を可能とするタッチパネルが設けられた表示部１０２と、表示部１０２の表示画面の表示を制御する表示制御部１０３と、表示画面内のタッチされた領域毎にタッチ回数を関連付けた清掃状態情報を記憶可能とする記憶部１０４と備えている。
【０００７】
表示制御部１０３は、表示画面上のタッチされた領域を示す位置情報を取得し、この位置情報に基いてタッチされた領域のタッチ回数を更新するタッチ回数カウント部と、タッチ回数が規定値以上である領域のみを清掃対象領域に設定する清掃状態判定部と、表示部１０２の設定を、表示画面上に清掃対象領域を表示させる清掃モードに切り替える表示指示部とを備えている。
【０００８】
つまり、従来の清掃方法では、タッチされた領域のタッチ回数が規定値以上である領域のみを清掃対象領域に設定するものである。
【先行技術文献】
【特許文献】
【０００９】
【特許文献１】特開２０１０−１６５１７４号公報
【発明の概要】
【発明が解決しようとする課題】
【００１０】
しかし、不特定多数のユーザが使用するような従来の情報処理装置では、汚れが少ない清潔な画面であっても衛生上の観点から拭き取りたいというユーザの要望がある。このように掃除がしたい場合に、特許文献１に開示されている上記従来のタッチパネル表示装置１００では、タッチ回数が規定値以下であると、清掃動作による意図しないタッチパネル動作を回避するために、必要な情報を保存した上で一旦電源を遮断しなければならい。複数人が使用するような大画面の情報処理装置の場合には、清掃モードを希望する特定ユーザに合わせて他のユーザは使用を中断しなければならない。
【００１１】
ところで、タッチパネル１０１を備えたタッチパネル表示装置１００の画面は、画面の位置において汚れ易い領域と、それほど汚れない領域とが存在する。例えば、複数ユーザでタッチパネル１０１を使用する場合は、各ユーザの手前の領域が汚れやすく中央部が汚れにくい。
【００１２】
また、特定ユーザが汚れが気になる場合でも、他のユーザは汚れがないと判断することがあるので、特定のユーザの意向のみに基づき表示画面全体を清掃モードに設定すると、掃除モードに設定する意向のない他のユーザが不便を感じてしまう。
【００１３】
つまり、ユーザが画面の汚れが気になるエリアや衛生上の観点から拭き取りたいと要望するエリアはユーザ要望に基づき清掃する必要があり、複数ユーザにおいては、汚れ度合いが気になる判断レベルは個人差があるので、各ユーザ画面の汚れが気になる領域だけを清掃すれば十分であるが、このようなタッチパネル表示装置は特許文献１には何ら提案されていなかった。
【００１４】
本発明は、上記従来の問題を解決するもので、画面が汚れ易くて清掃を要するエリアをユーザに応じて効率よく清掃することができるタッチパネル表示装置および、これを用いた情報処理装置を提供することを目的とする。
【課題を解決するための手段】
【００１５】
本発明のタッチパネル表示装置は、表示を行う表示画面上に、所定領域へのタッチ操作により情報入力を可能とするタッチパネルが設けられたタッチパネル表示装置において、
該タッチパネルは複数のユーザに応じた複数のタッチパネルエリアから構成され、該タッチパネルエリア単位で清掃対象エリアを選択する清掃エリア選択部と、該清掃エリア選択部が選択した該清掃対象エリアに対して該タッチパネルのタッチ操作を無効または有効に切り替えるパネルモード切替手段とを有し、該パネルモード切替手段は、清掃選択状態か否かを判定する清掃状態判定部と、  該判定清掃状態判定部の判定結果に応じて前記タッチパネルに対してタッチ操作を無効または有効に制御するタッチパネル制御部とを有し、該タッチパネルの画面上に、複数の清掃エリア選択部が選択できる複数のユーザに共通な共通清掃対象エリアを有し、該清掃状態判定部は、該共通清掃対象エリアを選択可能な全ての該複数の清掃エリア選択部が該共通清掃対象エリアとして設定したときにのみ、当該共通清掃対象エリアを清掃選択領域として設定するものであり、そのことにより上記目的が達成される。
【００１６】
また、好ましくは、本発明のタッチパネル表示装置における清掃状態判定部は、前記清掃モードの設定対象の前記共通清掃対象エリアおよびユーザに対応した清掃対象エリアに対して共通清掃状態情報が作成され、作成された該共通清掃状態情報を一旦記憶する記憶部を有している。
【００１７】
さらに、好ましくは、本発明のタッチパネル表示装置における清掃エリア選択部からの入力共通清掃情報が前記共通清掃対象エリアのエリア情報としてｎ人の全ユーザから前記清掃状態判定部に伝えられて、該エリア情報に対応した前記記憶部のフラグを“０ｎ“に設定し、該フラグの情報が前記タッチパネル制御部に伝えられて、該タッチパネル制御部は、該エリア情報に対応した清掃対象エリアのタッチ操作を無効にするように前記タッチパネルを制御し、これを受けて前記記憶部のフラグを“１ｎ“に設定する。
【００１８】
また、好ましくは、本発明のタッチパネル表示装置における清掃エリア選択部からの入力共通解除情報が前記共通清掃対象エリアのエリア情報として前記清掃状態判定部に伝えられ、該エリア情報に対応した前記記憶部のフラグを前記“１ｎ“から“１０“に設定し、該フラグの情報が前記タッチパネル制御部に伝えられて、該タッチパネル制御部は、該エリア情報に対応した該共通清掃対象エリアのタッチ操作を有効にするように前記タッチパネルを制御し、これを受けて前記記憶部のフラグを“００“に設定する。
【００１９】
本発明の情報処理装置は、本発明の上記タッチパネル表示装置を用いて情報処理するものであり、そのことにより上記目的が達成される。
【００２０】
上記構成により、以下、本発明の作用を説明する。
【００２１】
本発明においては、表示を行う表示画面上に、所定領域へのタッチ操作により情報入力を可能とするタッチパネルが設けられたタッチパネル表示装置において、タッチパネルは複数のユーザに応じた複数のタッチパネルエリアから構成され、タッチパネルエリア単位で清掃対象エリアを選択する清掃エリア選択部と、清掃エリア選択部が選択した清掃対象エリアに対してタッチパネルのタッチ操作を無効または有効に切り替えるパネルモード切替手段とを有している。
【００２２】
これによって、タッチパネルは複数のユーザに応じた複数のタッチパネルエリアからタッチパネルエリア単位で一または複数の複数のユーザに応じた一または複数の清掃対象エリアを選択するので、表示画面が汚れ易くて清掃を要するエリアをユーザに応じて効率よく清掃することが可能となる。
【発明の効果】
【００２３】
以上により、本発明によれば、タッチパネルは複数のユーザに応じた複数のタッチパネルエリアからタッチパネルエリア単位で一または複数の複数のユーザに応じた一または複数の清掃対象エリアを選択するため、画面の清掃を要するエリアを、ユーザの判断に基づき効率良く清掃することができる。
【図面の簡単な説明】
【００２４】
【図１】本発明の実施形態１におけるタッチパネル表示装置の概略的な構成例を示すブロック図である。
【図２】図１のタッチパネル表示装置におけるタッチパネル表示部２の要部構成例を概略的に示すブロック図である。
【図３】図１のタッチパネル表示装置を用いて情報処理する情報処理装置の斜視図である。
【図４】図３の情報処理装置に用いたタッチパネル表示装置を上から見た状態を模式的に示す平面図である。
【図５Ａ】各ユーザと対応する清掃対象エリアを説明するためのタッチパネル表示装置を上から見た状態の事例を模式的に示す平面図である。
【図５Ｂ】各ユーザと対応する清掃対象エリアを説明するためのタッチパネル表示装置を上から見た状態の他の事例を模式的に示す平面図である。
【図５Ｃ】各ユーザと対応する清掃対象エリアを説明するためのタッチパネル表示装置を上から見た状態の更に他の事例を模式的に示す平面図である。
【図６】図１のタッチパネル表示装置を含む情報処理装置の概略的な要部構成例を示すブロック図である。
【図７】図６の情報処理装置におけるメモリの概略的な構成例を示すブロック図である。
【図８】図６の情報処理装置における周辺機器の概略的な構成例を示すブロック図である。
【図９】図１のタッチパネル表示装置の変形例を含む情報処理装置の概略的な要部構成例を示すブロック図である。
【図１０】図１のタッチパネル表示装置の他の変形例を含む情報処理装置の他の概略的な要部構成例を示すブロック図である。
【図１１】図１のタッチパネル表示装置の別の変形例を含む情報処理装置の別の概略的な要部構成例を示すブロック図である。
【図１２】図１のタッチパネル表示装置の更に別の変形例を含む情報処理装置の更に別の概略的な要部構成例を示すブロック図である。
【図１３】特許文献１に開示されている従来のタッチパネル表示装置の要部構成例を示すブロック図である。
【発明を実施するための形態】
【００２５】
以下に、本発明のタッチパネル表示装置およびこれを用いて情報処理する情報処理装置の実施形態について図面を参照しながら詳細に説明する。なお、各図における構成部材のそれぞれの厚みや長さなどは図面作成上の観点から、図示する構成に限定されるものではない。
【００２６】
（実施形態１）
図１は、本発明の実施形態１におけるタッチパネル表示装置の概略的な構成例を示すブロック図である。
【００２７】
図１において、本実施形態１のタッチパネル表示装置１は、表示画面上にタッチパネルが形成されたタッチ式入力機能を有するタッチパネル表示部２と、複数の表示画面エリアから清掃対象エリアを選択するための清掃エリア選択部としての清掃エリア選択スイッチ３（３１〜３４）と、清掃状態かどうかを判定し、清掃状態のときにタッチ操作を無効に制御し、清掃状態ではないときにタッチ操作を有効に制御する清掃状態判定部４とを有し、これらがアドレスバスやデータバスなどのバス５によりデータ的に接続されている。
【００２８】
清掃エリア選択スイッチ３は、表示画面が複数のユーザに応じた複数の表示画面エリアから構成されており、清掃対象となる表示画面の拭き取る表示画面エリアを選択し、清掃モードに設定し、または、清掃モードを解除するためのスイッチである。清掃エリア選択部としての掃エリア選択スイッチ３を複数設け、清掃エリア選択スイッチ３が選択した清掃対象エリアそれぞれに清掃対象エリアを示す位置情報としてアドレス情報（エリア情報）が設定されている。
【００２９】
清掃状態判定部４は、複数の表示画面エリアのそれぞれにアドレス情報を割り当てて、それぞれが清掃モードに設定されているかどうか、清掃モードが解除されているかどうかを記憶すると共に、清掃エリア選択スイッチ３から入力された入力設定または解除情報に基づいて、各ユーザにそれぞれ対応した各表示画面エリア（清掃対象エリア）毎に清掃モードの設定と解除を制御する。
【００３０】
即ち、清掃状態判定部４は、表示画面の清掃モード設定エリア毎に清掃状態情報が作成され、作成された清掃状態情報を記憶する記憶部としてのメモリ（図示せず）を有している。この清掃状態情報は、清掃モードの設定時からの経過時間に関連付けられた情報である。例えば、所定時間を越えるとタッチパネル本体２４Ｂの駆動回路を停止処理または停止解除したりすることもできる。
【００３１】
要するに、本実施形態１のタッチパネル表示装置１は、タッチパネル表示部２が複数のユーザに応じた複数のタッチパネルエリア（複数の表示画面エリア）から構成されており、清掃対象領域をタッチパネルエリア単位で設定する清掃エリア選択部としての清掃エリア選択スイッチ３と、清掃対象領域に設定された清掃対象エリアを示す位置情報を取得して当該設定清掃対象エリアのみに対して、タッチ操作を位置検出する処理を禁止する不感状態に制御する清掃モードに切り替える清掃状態判定部４とを有している。
【００３２】
図２は、図１のタッチパネル表示装置１におけるタッチパネル表示部２の要部構成例を概略的に示すブロック図である。
【００３３】
図２において、タッチパネル表示部２は、タッチパネル表示ユニット２１と、タッチパネル制御回路２２と、表示部本体制御部２３とを有している。
【００３４】
タッチパネル表示ユニット２１は、液晶表示ディスプレイなどの表示を司る表示部本体２１Ａと、その表面上に備えられた、タッチ入力操作を行うためのタッチパネルを構成するタッチパネル部本体２１Ｂとを有している。
【００３５】
表示部本体２１Ａは、表示部本体制御部２３により表示画面上に画像表示が制御されるようになっている。この表示部本体制御部２３は、表示画面上に清掃対象エリアを表示させる。例えば、表示部本体制御部２３は、表示画面の清掃モード設定エリア毎に表示の色彩（例えば黄色や緑色など）を変えて識別して清掃対象エリアを表示する。
【００３６】
タッチパネル部本体２１Ｂは、タッチパネル制御回路２２によりタッチ入力操作を有効または無効に制御される。これらのタッチパネル制御回路２２および表示部本体制御部２３には、バス５経由で外部のコントローラの他に清掃状態判定部４から出力された制御信号により制御される構成となっている。
【００３７】
清掃状態判定部４とタッチパネル制御回路２２によりパネルモード切替手段が構成されており、パネルモード切替手段は、清掃エリア選択部としての清掃エリア選択スイッチ３が選択した清掃対象エリアに対してタッチパネル部本体２１Ｂの画面上の所定領域へのタッチ操作を無効または有効に切り替えることができる。
【００３８】
図３は、図１のタッチパネル表示装置１を用いて情報処理する情報処理装置の斜視図である。
【００３９】
図３において、本実施形態１の情報処理装置１０は、テーブル１１上にタッチパネル表示装置１が搭載されている。タッチパネル表示装置１の側面には表示エリア選択スイッチ１２ａ、１２ｂ、１２ｃ（不図示）および１２ｄ（不図示）が備えられている。各ユーザが表示エリア選択スイッチ１２ａ、１２ｂ、１２ｃ（不図示）および１２ｄ（不図示）のいずれかを押下（プッシュ）することにより、押下した表示エリア選択スイッチ１２ａ、１２ｂ、１２ｃ（不図示）および１２ｄ（不図示）のいずれかに対応する表示エリアが点灯してその表示エリアでタッチ入力操作が可能になる。タッチパネル表示装置１の表面側のタッチパネル部本体２１Ｂは点線で描かれた内側である。表示部本体２１Ａは点線で描かれた内側および外側を含んでいる。
【００４０】
表示エリアは各ユーザに応じて複数に区分けされている。これらの表示エリア選択スイッチ１２ａ〜１２ｄはそれに対応する表示エリアを起動するものであるが、表示エリア選択スイッチ１２ａ〜１２ｄはそれぞれ清掃エリア選択スイッチ３１〜３４をもそれぞれ兼ねていてもよい。要するに、表示エリア選択スイッチ１２ａ〜１２ｄが押下された後に、清掃エリア選択スイッチ３１〜３４のいずれかがユーザによって押下されると、その押下された清掃エリア選択スイッチに対応する清掃対象エリアが清掃モードになって、タッチ操作を位置検出する処理を禁止する不感状態に制御される。
【００４１】
図４は、図３の情報処理装置１０に用いたタッチパネル表示装置１を上から見た状態を模式的に示す平面図である。
【００４２】
図４において、本実施形態１の情報処理装置１０にはタッチパネル表示装置１が備えられている。ここでは、二人のユーザ１３ｂおよびユーザ１３ｃがそれぞれ、タッチパネル表示装置１に表示画面上に表示させた仮想キーボード１４ｂ，１４ｃを使って各種情報を入力している状態を示している。ここでは簡略化するために図示していないが、他の２名のユーザもそれぞれの左側および上側の各辺からそれぞれ仮想キーボード（図示せず）を使って情報を入力している。このように、タッチパネル表示装置１を用い、仮想キーボード１４ｂ，１４ｃを表示させて情報処理する本実施形態１の情報処理装置１０が構成されている。
【００４３】
清掃エリア選択スイッチ３１〜３４は、表示画面を構成する各ユーザのタッチパネルエリア単位（表示エリア単位）で、清掃モードに設定または清掃モードを解除するためのスイッチである。清掃エリア選択スイッチ３１〜３４によって各ユーザが清掃モードに設定すると、タッチパネル表示装置１のタッチパネル本体２１ｂからの仮想キーボード１４ａ〜１４ｄ（仮想キーボード１４ａ、１４ｄは図示せず）の各キー入力は無効となるので、意図しない入力動作を抑制しつつ表示画面上を拭き取る清掃動作を容易に行うことができるようになっている。
【００４４】
なお、前述したが、清掃エリア選択スイッチ３１〜３４は表示エリア選択スイッチ１２ａ〜１２ｄをそれぞれ兼ねてボタンスイッチとしているが、これに限らず、清掃エリア選択スイッチ３１〜３４は、仮想キーボード上の清掃エリア選択スイッチ２１１Ｂの表示キーであってもよい。これらの清掃エリア選択スイッチ３１〜３４のボタンスイッチと、清掃エリア選択スイッチ２１１Ｂの表示キーとは両方有していてもよいし、いずれか一方を有していてもよい。
【００４５】
図５Ａは、各ユーザと対応する清掃対象エリアを説明するためのタッチパネル表示装置１を上から見た状態の事例を模式的に示す平面図である。
【００４６】
図５Ａのタッチパネル表示装置１Ａにおいて、清掃対象となるエリア２１ａ〜２１ｄは、４人の各ユーザ１３ａ〜１３ｄの席に対応して４領域に区分けされている。例えば清掃エリア選択スイッチ３１〜３４（ここでは清掃エリア選択スイッチ３１、３４は図示せず）のうちの清掃エリア選択スイッチ３２をワンプッシュすると、入力された例えば清掃エリア選択スイッチ３２からの入力指令情報が清掃状態判定部４に伝えられる。
【００４７】
この清掃状態判定部４には、清掃対象エリア２１ｂの位置に対応するようにメモリ（図示せず）が備えられている。
【００４８】
ここで本メモリは、２つの数値で構成されるフラグ情報を記録しており、本実施例では、下記に示すように、下位１桁が清掃モードの設定、解除を示すものであり、上位１桁が清掃対象エリアの表示を示す事を行う設定、解除を示すものである。
【００４９】
清掃エリア選択スイッチ３２が押されて位置情報が入力されると、その位置情報に対応したメモリ（図示せず）に記憶され、メモリ（図示せず）にフラグが“０１“に設定される。当該フラグ情報はバス５を経由してタッチパネル表示部２内のタッチパネル制御回路２２に伝えられ、タッチパネル制御回路２２は清掃対象エリア２１ｂのタッチ入力を無効とするようタッチパネル本体２１Ｂを制御する。これと同時に、清掃状態判定部４内のメモリ（図示せず）のフラグが“１１“に設定される。
【００５０】
次に、これを受けて清掃対象エリア２１ｂが所定の色彩に表示されて清掃モードの設定が完了する。即ち、清掃状態判定部４内のメモリ（図示せず）のフラグ情報“１１“は、バス５経由で表示部本体制御部２３に伝えられる。表示部本体制御部２３はメモリ（図示せず）からのフラグ情報”１１“を受けると、清掃対象エリア２１ｂ全体を例えばハーフトーンのカラー表示（清掃対象エリア２１ｂでは例えば軟らかい黄色表示）を行い、これで清掃モードに設定されていることを明示することができる。
【００５１】
このように、表示部本体制御部２３は、表示画面の清掃モード設定エリア毎に表示の色彩を変えて識別して清掃対象エリアを表示するようになっている。
【００５２】
なお、清掃モード設定の明示方法は、ハーフトーンのカラー表示であるので、直前に表示されている情報をもユーザ１３ｂは認識することができる。ユーザ１３ｂは清掃対象エリア２１ｂの必要な清掃動作を行うことができる。
【００５３】
その後、当該清掃対象エリア２１ｂの清掃モードを解除する場合は、清掃エリア選択スイッチ３２を再びワンプッシュする。清掃エリア選択スイッチ３２にワンプッシュ入力された入力指令情報が清掃状態判定部４に伝えられ、清掃状態判定部４のメモリ（図示せず）のフラグ情報“１１“は、”１０“となる。
【００５４】
このフラグ情報の”１０“は、バス５経由でタッチパネル表示部２内のタッチパネル制御回路２２に伝えられて、清掃対象エリア２１ｂの清掃モードが解除される。これによって、タッチパネル表示部２は通常の動作に戻ってタッチ入力を受け付ける状態となる。
【００５５】
さらに、これを受けてフラグ情報の上位側もリセットされて、メモリ（図示せず）のフラグ情報は”００“となる。このメモリ（図示せず）のフラグ情報の”００“は、その後、バス５経由で表示部本体制御部２３に伝えられる。
【００５６】
次に、表示本体制御回路部２３はメモリ（図示せず）のフラグ情報”００“に基づいて、清掃対象エリア２１ｂ全体のハーフトーンの黄色のカラー表示を解除し、表示部本体２１Ａは通常の表示状態に戻る。ユーザ１３ｂは通常の表示状態となったことを確認して清掃対象エリア２１ｂの清掃モードが解除され、ユーザ１３ｂは仮想キーボードのキー入力を受け付ける状態に変化していることを知ることができる。
【００５７】
これと同様に、清掃エリア選択スイッチ３２以外の清掃エリア選択スイッチ３１，３３および３４をそれぞれ各ユーザ１３ａ、１３ｃおよび１３ｄがそれぞれプッシュすると、それぞれに対応するフラグメモリ（図示せず）には、清掃対象エリア２１ａ、２１ｃおよび２１ｄにそれぞれ対応するメモリ（図示せず）の各フラグに“０１“が設定される。これによって、清掃状態判定部４からタッチパネル制御回路２２および表示本体制御回路部２３を介して清掃対象エリア２１ａ、２１ｃおよび２１ｄは清掃モードに設定される。
【００５８】
その後、それぞれの清掃対象エリア２１ａ、２１ｃおよび２１ｄの清掃動作を終えた後、清掃エリア選択スイッチ３１、３３および３４をそれぞれ再びプッシュすると、清掃対象エリア２１ａ、２１ｃおよび２１ｄの清掃モードが解除される。
【００５９】
なお、清掃対象エリア２１ａ〜２１ｄの表示領域座標データは予め清掃状態判定部４内に記憶されている。このため、タッチパネル制御回路２２および表示部本体制御部２３は、フラグメモリ（図示せず）からのフラグ情報を受けると、フラグ情報に対応した清掃エリア選択スイッチを識別することにより、清掃対象エリア２１ａ〜２１ｄのそれぞれの表示領域座標データを清掃状態判定部４から読み取り、読み取った座標データに基づいて、タッチパネル入力の無効化領域やハーフトーンのカラー表示領域を決定することができる。全表示画面をいずれかのユーザ１３ａ〜１３ｄに割り当てるので、各ユーザ１３ａ〜１３ｄの判断に基づいて清掃モードに設定できるエリアを広くとることができる。
【００６０】
なお、清掃モードに設定されると仮想キーボードのタッチキー入力を無効化する。
【００６１】
このとき、図５Ａに示すように、横軸方向にタッチパネル部本体２１Ｂの駆動回路が備えられ、縦軸方向に駆動信号に対応する読出し信号が出力される構成において、清掃対象エリア２１ａが清掃モードに設定された場合、この清掃対象エリア２１ａのタッチ領域検出駆動は不要である。つまり、清掃対象エリア２１ａが設定されると、清掃状態判定部４に備えられた清掃対象エリア２１ａに対応するフラグメモリ（図示せず）が“１１”となり、この状態では清掃対象エリア２１ａのタッチ領域検出駆動は不要である。この状態になった時に、清掃状態判定部４はパワーセーブモード信号をタッチパネル制御回路２２に送付する。パワーセーブモード信号を受けたタッチパネル制御回路２２はタッチパネル部本体２１Ｂの清掃対象エリア２１ａの駆動信号を停止処理するように制御することによりタッチパネル部本体２１Ｂの駆動部における消費電力を削減することができる。
【００６２】
次に、タッチパネル部本体２１Ｂの中央部に共通の清掃対象エリアを設ける場合について図５Ｂを用いて説明する。
【００６３】
図５Ｂは、各ユーザと対応する清掃対象エリアを説明するためのタッチパネル表示装置１を上から見た状態の他の事例を模式的に示す平面図である。
【００６４】
図５Ｂのタッチパネル表示装置１Ｂにおいて、清掃対象となるエリア２１ａ、２１ｂ’、２１ｃ、２１ｄ’および２１ｅは、４人の各ユーザ１３ａ〜１３ｄの席に対応した４領域に中央部の共通の清掃対象エリア２２ｅを加えた５領域に区分けされている。清掃対象エリア２１ａ、２１ｂ’、２１ｃ、２１ｄ’および２１ｅの清掃モードの設定・解除の手順は図５Ａの場合と同様で以下の通りである。
【００６５】
まず、例えば清掃エリア選択スイッチ３２をワンプッシュすると、入力された清掃エリア選択スイッチ１２ｂの入力指令情報が清掃状態判定部４に伝えられる。
【００６６】
清掃状態判定部４には清掃対象エリア２１ｂに対応するメモリ（図示せず）が備えられている。
【００６７】
ここで本メモリは、３つの数値で構成されるフラグ情報を記録しており、本実施例では、下記に示すように、最下位の１桁が、清掃対象エリアの清掃モードの設定、解除を示すものであり、最上位の１桁が清掃対象エリアの表示を示す事を行う設定、解除を示すものであり、中の一桁が共通の清掃対象エリア２２ｅに対する清掃要求を示す。
【００６８】
清掃エリア選択スイッチ３２が入力されると、メモリ（図示せず）のフラグに“００１“が設定される。当該フラグ情報“００１“はバス５を経由してタッチパネル表示部２内のタッチパネル制御回路２２に伝えられ、タッチパネル制御回路２２は清掃対象エリア２１ｂ’のタッチ入力が無効となるようにタッチパネル部本体２１Ｂを制御する。
【００６９】
これと同時に、メモリ（図示せず）にはフラグに“１０１“が設定される。以上で、清掃対象エリア２１ｂ’は所定の色彩（黄色）に表示されて清掃モードが完了する。即ち、メモリ（図示せず）のフラグ情報“１０１“は、バス５経由で表示部本体制御部２３に伝えられる。表示部本体制御部２３はフラグ情報”１０１“を受けると、清掃対象エリア２１ｂ’全体を黄色のハーフトーンのカラー表示を行い、清掃モードに設定されていることをユーザ１３ｂに明示する。
【００７０】
なお、清掃モード設定の明示方法はハーフトーンのカラー表示であるので直前に表示されている情報も認識することができる。ユーザ１３ｂは清掃対象エリア２１ｂ’の必要な拭き取りを終え、当該清掃対象エリア２１ｂ’の清掃モードを解除する場合は、清掃エリア選択スイッチ３２をワンプッシュする。清掃エリア選択スイッチ３２にワンプッシュ入力された情報が清掃状態判定部４に伝えられ、清掃状態判定部４内のメモリ（図示せず）のフラグ情報“１０１“は、下位ビットのみリセットされ”１００“となる。フラグ情報の”１００“は、バス５経由でタッチパネル制御回路２２に伝えられると、清掃対象エリア２１ｂ’の清掃モードが解除され、通常の動作に戻って仮想キーボードのタッチキー入力を受け付ける状態となる。
【００７１】
次に、これを受けてフラグ情報の上位ビットもリセットされて、メモリ（図示せず）のフラグは”０００“に戻る。メモリ（図示せず）のフラグ情報は、その後、バス５経由で表示部本体制御部２３に伝えられる。
【００７２】
さらに、表示部本体制御部２３はフラグ情報”０００“に基づいて、清掃対象エリア２１ｂ’全体のハーフトーンの黄色のカラー表示を解除し、表示部本体２１Ａは通常の表示状態となる。ユーザ１３ｂは通常の表示状態となったことを確認して清掃対象エリア２１ｂ’の清掃モードが解除され、仮想キーボードのキー入力を受け付ける状態に変化したことを知ることができる。
【００７３】
これと同様に、清掃エリア選択スイッチ３２以外の清掃エリア選択スイッチ３１、３３および３４をそれぞれプッシュすると、それぞれに対応するフラグメモリ（図示せず）にはフラグに“００１“が設定され、清掃対象エリア２１ａ、２１ｃおよび２１ｄ’は清掃モードに設定され、それぞれの清掃対象エリア２１ａ、２１ｃおよび２１ｄ’の清掃動作を終えた後、清掃エリア選択スイッチ３１、３３および３４をそれぞれプッシュすると、清掃対象エリア２１ａ、２１ｃおよび２１ｄ’の清掃モードが解除される。
【００７４】
なお、清掃対象エリア２１ａ、２１ｂ’、２１ｃおよび２１ｄ’の表示領域座標データは予め清掃状態判定部４に記憶されているので、タッチパネル制御回路２２および表示部本体制御部２３は、フラグメモリ（図示せず）のフラグ情報を受け取ると、フラグ情報が記憶されたメモリ（図示せず）に対応した清掃エリア選択スイッチ３１〜３４を識別することにより、清掃対象エリア２１ａ、２１ｂ’、２１ｃおよび２１ｄ’のそれぞれの表示領域座標データを清掃状態判定部４から読み取り、読み取った座標データに基づいて、タッチパネル入力の無効化領域やハーフトーンのカラー表示領域を決定することができるようになる。
【００７５】
次に、中央部の共通清掃対象エリア２１ｅの取り扱いについて説明する。
【００７６】
共通の清掃対象エリア２１ｅは、ユーザ１３ａ〜１３ｄ’のそれぞれ単独では清掃モードに設定することができないようになっている。全てのユーザ１３ａ〜１３ｄ’が清掃モードに設定するように清掃エリア選択スイッチ３１〜３４を全て操作することにより初めて清掃モードとすることができる。つまり、共通の清掃対象エリア２１ｅには、全てのユーザ１３ａ〜１３ｄに共通の領域である。
【００７７】
例えばユーザ１３ｂが清掃エリア選択スイッチ３２を２回以上連続して押下（以下ダブルプッシュ）すると、ダブルプッシュの入力された清掃エリア選択スイッチ３２の情報入力指令が清掃状態判定部４に伝えられる。清掃状態判定部４には清掃対象エリア２１ｂ’に対応するメモリ（図示せず）が備えられ、清掃エリア選択スイッチ３２がダブルプッシュされると、ユーザ１３ｂの清掃対象エリア２１ｂ’のメモリ（図示せず）のフラグに“０１０“が設定されるようになっている。
【００７８】
つまり、特定のユーザ１３ｂが共通清掃対象エリア２１ｅを清掃モードに設定する要求を行っている仮清掃モードとなる。
【００７９】
共通清掃対象エリア２１ｅには対応するフラグメモリ（図示せず）が備えられている。
【００８０】
ここで本メモリは、２つの数値で構成されるフラグ情報を記録しており、本実施例では、下記に示すように、下位の１桁が、共通の清掃対象エリア２２ｅに対する清掃要求の数をカウントするものであり、カウント数は表示パネルを同時に使用するユーザ数をカウントする事が出来るように設定してある。本実施例では使用ユーザを４人としているので、カウント数は４である。上位の１桁は共通の清掃対象エリアに対して表示を示す事を行う設定、解除を示すものである。
【００８１】
共通清掃対象エリア２１ｅに対応するフラグメモリ（図示せず）には”０１“が設定される。当該フラグ情報はバス５を経由してタッチパネル表示部２内のタッチパネル制御回路２２に伝えられるが、タッチパネル制御回路２２はこの段階では共通清掃対象エリア２１ｅのタッチ入力を無効に制御しないようになっている。
【００８２】
また、この共通清掃対象エリア２１ｅに対応するフラグメモリ（図示せず）のフラグ情報“０１“は、バス５経由で表示部本体制御部２３に伝えられる。表示部本体制御部２３はフラグメモリ（図示せず）のフラグ情報”０１“を受けると、共通清掃対象エリア２１ｅの全体をハーフトーンの青色の点滅カラー表示を所定時間行って通常の表示に戻る。このハーフトーンの青色の点滅カラー表示により、ユーザ１３ｂ以外のいずれの他のユーザ１３ａ、１３ｃ、１３ｄに清掃モードに設定したい意向であることを明示する。
【００８３】
この場合、ユーザ１３ｂが清掃エリア選択スイッチ３２からの入力共通清掃情報が共通清掃対象エリア２１ｅのエリア情報として清掃状態判定部４に伝えられて、このエリア情報に対応したフラグメモリ（図示せず）のフラグを“０１“に設定し、フラグの情報が表示部本体制御部２３に伝えられて、表示部本体制御部２３は、タッチパネル本体２１Ａの画面上に清掃対象エリア特有の識別情報を表示させる。これに限らず、ユーザ１３ｂが清掃エリア選択スイッチ３２からの入力共通清掃情報がユーザ１３ｂに対応した清掃対象エリア２１ｂのエリア情報として清掃状態判定部４に伝えられて、このエリア情報に対応したフラグメモリ（図示せず）のフラグを“１０“に設定し、このフラグの情報が表示部本体制御部２３に伝えられて、表示部本体制御部２３は、タッチパネルの画面上に前記清掃対象エリア特有の識別情報を表示させるようにしてもよい。このように、共通清掃対象エリア２１ｅのエリア情報が清掃状態判定部４に伝えられてもよいし、清掃対象エリア２１ｂのエリア情報が清掃状態判定部４に伝えられてもよいし、その両方のエリア情報が清掃状態判定部４に伝えられるようにしてもよい。
【００８４】
なお、清掃対象エリア特有の識別情報としては、表示部本体制御部２３が、表示画面の清掃モードの設定エリア毎に識別情報として表示の色彩を変えて清掃対象エリアの一部（例えばエリアの境界部）または全部（例えばエリア全体）を表示したり、それを点滅させたり、ユーザから見える位置に「清掃モード」を表示させたりする。
【００８５】
その後、他のユーザ１３ａ、１３ｃ、１３ｄが、点滅開始タイミングから所定時間内に、他の各ユーザ１３ａ、１３ｃ、１３ｄに対応する清掃エリア選択スイッチ３１、３３、３４をダブルプッシュする毎に、共通清掃対象エリア２１ｅに対応するフラグメモリ（図示せず）のフラグ情報がカウントアップされて、４人のユーザ１３ａ〜１３ｄ全員が清掃エリア選択スイッチ３１〜３４をダブルプッシュすると、フラグメモリ（図示せず）のフラグ情報は“０４“にセットされる。フラグメモリ（図示せず）の当該フラグ情報はバス５を経由してタッチパネル表示部２内のタッチパネル制御回路２２に伝えられ、タッチパネル制御回路２２は共通の清掃対象エリア２１ｅのタッチ入力が無効となるように掃除モードにタッチパネル部本体２４Ｂを制御する。
【００８６】
これを受けて共通の清掃対象エリア２１ｅに対応したフラグメモリ（図示せず）のフラグに“１４“が設定される。
【００８７】
さらに、共通の清掃対象エリア２１ｅに対応したフラグメモリ（図示せず）のフラグ情報“１４“は、バス５経由で表示部本体制御部２３に伝えられる。表示部本体制御部２３は、このフラグメモリ（図示せず）のフラグ情報”１４“を受けると、共通の清掃対象エリア２１ｅ全体を青色のハーフトーンのカラー表示を行い、全てのユーザ１３ａ〜１３ｄに共通の清掃対象エリア２１ｅが清掃モードに設定されていることを明示することができる。
【００８８】
その後、ユーザ１３ｂは共通の清掃対象エリア２１ｅの必要な拭き取りを行い、清掃動作終える。当該共通の清掃対象エリア２１ｅの清掃モードを解除する場合は、清掃エリア選択スイッチ３１〜３４を全てダブルプッシュする。清掃エリア選択スイッチ３１〜３４からそのダブルプッシュ入力情報が清掃状態判定部４に伝えられる。この時点で、清掃対象エリア２１ｅに対応したフラグメモリ（図示せず）のフラグ情報“１４“は、”１０“となる。また、清掃対象エリア２１ｂに対応した仮清掃モード時のフラグメモリ（図示せず）のフラグ情報”１０“は、”０００“となる。
【００８９】
次に、清掃対象エリア２１ｅに対応したフラグメモリ（図示せず）のフラグ情報の”１０“は、バス５経由でタッチパネル制御回路２２に伝えられると、タッチパネル制御回路２２は共通の清掃対象エリア２１ｅの清掃モードを解除する。
【００９０】
その後、清掃対象エリア２１ｅに対応したフラグメモリ（図示せず）のフラグは”００“となり、そのフラグ情報はバス５経由で表示部本体制御部２３に伝えられる。
【００９１】
表示部本体制御部２３は、清掃対象エリア２１ｅに対応したフラグメモリ（図示せず）のフラグ情報”００“に基づいて、共通の清掃対象エリア２１ｅ全体のハーフトーンの青色のカラー表示を解除し、表示部本体２１Ａは通常の表示状態となる。全てのユーザ１３ａ〜１３ｄは通常の表示状態となったことを確認して、共通の清掃対象エリア２１ｅの清掃モードが解除され、全てのユーザ１３ａ〜１３ｄはキー入力を受け付ける状態に変化したことを知ることができる。以上で通常の動作に戻って仮想キーボードのタッチキー入力を受け付ける状態となる。
【００９２】
以上のように、他の全てのユーザ１３ａ〜１３ｄが、共通の清掃対象エリア２１ｅが点滅を開始するタイミングから所定時間内に、各ユーザ１３ａ〜１３ｄに対応する清掃エリア選択スイッチ３１〜３４を全てダブルプッシュしなければ、共通の清掃対象エリア２１ｅは清掃モードに設定されない。この状態でユーザ１３ｂが選択スイッチ１２ｂをダブルプッシュすると、フラグメモリ（図示せず）のフラグがリセットされて“００“となり、更に、共通の清掃対象エリア２１ｅに対応するフラグメモリ（図示せず）のフラグには”００“が設定されて、仮清掃モードが解除されるようになっている。
【００９３】
このように、ユーザ１３ｂは、清掃モード設定を諦めて仮清掃モードを解除する操作が完了することになる。
【００９４】
図５Ｃは、各ユーザと対応する清掃対象エリアを説明するためのタッチパネル表示装置１を上から見た状態の更に他の事例を模式的に示す平面図である。
【００９５】
図５Ｃにおいて、清掃対象となるエリアは、清掃対象エリア２１ａ、２１ｂ’、２２ｃ、２１ｄ’の４領域で、共通の清掃対象エリア２１ｅはキー入力を常に受け付け、清掃モードの設定対象外とする。中央部（共通の清掃対象エリア２１ｅ）はキー入力される頻度が低いため、清掃モードを設定する必要が少ないことに対応したものである。なお、ここでは各清掃対象エリア２１ａ、２１ｂ’、２２ｃ、２１ｄ’の４領域の清掃モード設定はこれまで述べた方法と同様であるので、ここでは重ねて記載しない。
【００９６】
なお、清掃モードに設定可能とする全ての清掃対象エリア２１ａ、２１ｂ’、２２ｃ、２１ｄ’の４領域（共通の清掃対象エリア２１ｅ以外）が清掃モードに設定されると、清掃状態判定部４に備えられた各清掃対象エリア２１ａ、２１ｂ’、２２ｃ、２１ｄ’の４領域に対応する全てのフラグが“１１”となるが、この状態では、表示データの書き換えが少なくなる。この状態になった時に清掃状態判定部４はパワーセーブモード信号を表示部本体制御部２３に送付し、パワーセーブモード信号を受けた表示部本体制御部２３は、表示部本体２１Ａのフレーム周波数を通常の半減にするなどで消費電力を少なくすることができる。
【００９７】
図６は、図１のタッチパネル表示装置１を含む情報処理装置１０の概略的な要部構成例を示すブロック図である。なお、図６では、図１の構成部材と同一の作用効果を奏する構成部材には同一の符号を付して説明する。
【００９８】
図６において、本実施形態１の情報処理装置１０は、タッチパネル表示部２、清掃エリア選択スイッチ３および清掃状態判定部４を有するタッチパネル表示装置１の他に、制御部６、メモリ７および周辺機器８がバス５を介して接続されている。
【００９９】
制御部６は情報処理装置１０の全体を制御する。
【０１００】
メモリ７は、装置の制御プログラム、演算結果などの一時情報、セキュリティ情報など、システム全体を動作させるために必要な各種情報を記憶する一時期億部のワークメモリとして機能する。
【０１０１】
周辺機器８は、各種機能を有すると共に、情報処理装置１０が外部装置とのやり取りを行うための機能ブロックである。
【０１０２】
図７は、図６の情報処理装置１０におけるメモリ７の概略的な構成例を示すブロック図である。
【０１０３】
図７において、メモリ７は、制御プログラムおよびそれに用いるデータを記憶する制御プログラム記憶部７１と、演算結果などの一時情報記憶部７２と、セキュリティ情報などを記憶するセキュリティ情報記憶部７３とを有している。
【０１０４】
図８は、図６の情報処理装置１０における周辺機器８の概略的な構成例を示すブロック図である。
【０１０５】
図８において、周辺機器８は、アンテナ８１と、これに接続される無線送受信部８２と、有線送受信部８３と、固体撮像用カメラ８４と、音声処理部８５と、音声処理部８５に接続されるスピーカなどの音声出力部８６と、音声処理部８５に接続されるマイクロフォンなどの集音部８７と、タイマ８８とを有し、情報処理装置１０が外部装置とのやり取りを行うために機能している。周辺機器８の無線通信機能または有線通信機能を経由してクラウド上のソフトウエアの利用や遠隔地の端末との情報交換が可能となるなどで、利便性が向上する。
【０１０６】
要するに、本実施形態１の情報処理装置１０は、表示画面上に、タッチ領域へのタッチ操作により位置入力を可能とするタッチパネル本体２１Ｂが設けられたタッチパネル表示装置１と、タッチパネル本体２１Ｂは一または複数のユーザに応じた一または複数のタッチパネルエリアから構成され、タッチパネルエリア単位で清掃対象エリアを選択する清掃エリア選択部としての清掃エリア選択スイッチ３と、清掃エリア選択スイッチ３が選択した清掃対象エリアに対してタッチパネル本体２１Ｂのタッチ操作を無効または有効に切り替えるパネルモード切替手段と、各種機能を有すると共に外部装置とのデータのやり取りを行う周辺機器８と、タッチパネル表示装置１、メモリ７および周辺機器８を制御する制御部６とを有している。周辺機器８としては、カメラ、無線通信装置、有線通信装置、拡声器およびマイクロフォンのうちの少なくともいずれかであればよい。
【０１０７】
図９は、図１のタッチパネル表示装置１の変形例を含む情報処理装置の概略的な要部構成例を示すブロック図である。なお、図９では、図６の構成部材と同一の作用効果を奏する構成部材には同一の符号を付して説明する。
【０１０８】
図９において、本実施形態１の情報処理装置１０Ａにおけるタッチパネル表示装置１Ａは、清掃エリア選択スイッチ３Ａがボタンスイッチであることを明示している。ボタンスイッチなので仮想キーボードの表示キーに比べ、仮想キーボード設定操作が不要である上、任意のタイミングで清掃モードの設定、解除が可能である。
【０１０９】
図１０は、図１のタッチパネル表示装置１の他の変形例を含む情報処理装置の他の概略的な要部構成例を示すブロック図である。なお、図１０では、図６の構成部材と同一の作用効果を奏する構成部材には同一の符号を付して説明する。
【０１１０】
図１０において、本実施形態１の情報処理装置１０Ｂにおけるタッチパネル表示装置１Ｂは、清掃エリア選択スイッチ２１１Ｂが仮想キーボードの表示キーであることを明示している。清掃エリア選択スイッチ２１１Ｂが仮想キーボードの表示キーである場合には、仮想キーボード設定手段９が必要である。仮想キーボード設定手段９によりタッチパネル表示部２Ｂのタッチパネル部本体２１Ｂ’においてその表示画面上に仮想キーボードの設定を制御することができる。この仮想キーボードに清掃エリア選択スイッチ２１１Ｂが表示キーとして表示される。
【０１１１】
図４および図５Ａ〜図５Ｃにおいて、仮想キーボード１４ｂおよび１４ｃに清掃エリア選択スイッチ２１１Ｂがそれぞれ表示されている。仮想キーボード１４ｂおよび１４ｃの清掃エリア選択スイッチ２１１Ｂをタッチ操作で清掃モードを設定すると、該当エリア全体（ユーザに関係する表示エリア）が清掃モードとなる。一旦、清掃モードに設定されると仮想キーボード１４ｂおよび１４ｃの表示キーは無効になるが、清掃モードは所定時間継続した後に自動的に解除されて元に戻ってタッチ動作が機能するようになっている。この場合、清掃モード設定用のボタンスイッチはあってもよいが、清掃モード設定用のボタンスイッチは不要とすることができる。これによって、部品点数が少なくできる、
仮想キーボード１４ｂおよび１４ｃの表示キーは清掃モードが必要な場合のみ表示されるようにしてもよい。これによって、ボタンスイッチのように意図せずにボタンスイッチに触れて誤って清掃モードに設定してしまうという誤操作の虞を減少させることができる。
【０１１２】
図１１は、図１のタッチパネル表示装置１の別の変形例を含む情報処理装置の別の概略的な要部構成例を示すブロック図である。なお、図１１では、図１０の構成部材と同一の作用効果を奏する構成部材には同一の符号を付して説明する。
【０１１３】
図１１において、本実施形態１の情報処理装置１０Ｃで用いるタッチパネル表示装置１Ｃにおけるタッチパネル表示部２Ｃは、タッチパネル表示装置１Ｃ内には清掃状態判定部４を備えておらず、清掃状態判定部４Ｃとしてタッチパネル表示装置１Ｃの外部でバス５に接続されている。
【０１１４】
図１２は、図１のタッチパネル表示装置１の更に別の変形例を含む情報処理装置の更に別の概略的な要部構成例を示すブロック図である。なお、図１２では、図９の構成部材と同一の作用効果を奏する構成部材には同一の符号を付して説明する。
【０１１５】
図１２において、本実施形態１の情報処理装置１０Ｄにおけるタッチパネル表示装置１Ｄには、図９のように清掃エリア選択スイッチ３Ａ（ボタンスイッチ）および清掃状態判定部４を備えておらず、これに代えて、清掃エリア選択スイッチ３Ｄおよび清掃状態判定部４Ｄとしてタッチパネル表示装置１Ｄの外部でバス５にそれぞれ接続されている。清掃エリア選択スイッチ３Ｄはボタンスイッチで構成されている。以上の図１１および図１２の場合、薄い形状に搭載を少なくできて設計上の制約が少なくなる。また、実装するボタンスイッチの選択肢を増やすことができる。
【０１１６】
以上により、本実施形態１によれば、複数のユーザが指やタッチペンを画面上の特定領域にタッチするかまたは近づけて情報入力が可能なタッチパネル本体２１Ｂが表示画面上に設けられたタッチパネル表示装置１と、情報入力可能なタッチパネル本体２１Ｂが設けられたタッチパネル表示装置１の画面を複数のユーザに応じた複数のエリアを含むように区分し、掃除モードが要求されたエリアを示すエリア位置情報を取得し、このエリア位置情報に基いて当該エリアのみを清掃対象エリアに設定して、タッチ操作を無効にする清掃モードに切り替えるため、ユーザ個々の意向に基づいて、タッチ動作に反応することなく表示画面の汚れが気になるエリアのみを清掃することができる。要するに、画面の清掃を要するエリアを、ユーザの判断に基づき効率良く清掃することができる。
【０１１７】
なお、本実施形態１では、特に詳細には説明しなかったが、表示を行う表示画面上に、所定領域へのタッチ操作により情報入力を可能とするタッチパネル本体２１Ｂが設けられたタッチパネル表示装置１において、タッチパネル本体２１Ｂは複数のユーザに応じた複数のタッチパネルエリアから構成され、タッチパネルエリア単位で清掃対象エリアを選択する清掃エリア選択部としての清掃エリア選択スイッチ３と、清掃エリア選択スイッチ３が選択した清掃対象エリアに対してタッチパネル本体２１Ｂのタッチ操作を無効または有効に切り替えるパネルモード切替手段とを有することにより、タッチパネルは複数のユーザに応じた複数のタッチパネルエリアからタッチパネルエリア単位で一または複数の清掃対象エリアを選択するため、画面の清掃を要するエリアを、ユーザの判断に基づき効率良く清掃することができる本発明の目的を達成することができる。
【０１１８】
なお、本実施形態１では、例えばその一例として、清掃エリア選択スイッチ３からの入力清掃情報がエリア情報として清掃状態判定部４に伝えられて、エリア情報に対応したメモリのフラグを例えば“０１“に設定し、フラグの情報がタッチパネル制御回路２２に伝えられて、タッチパネル制御回路２２は、エリア情報に対応した清掃対象エリアのタッチ操作を無効にするようにタッチパネル部本体２１Ｂを制御し、これを受けてメモリのフラグを例えば“１１“に設定する。さらに、清掃エリア選択スイッチ３からの入力解除情報がエリア情報として清掃状態判定部４に伝えられて、エリア情報に対応したメモリのフラグを“１１“から例えば“１０“に設定し、フラグの情報がタッチパネル制御回路２２に伝えられて、タッチパネル制御回路２２は、エリア情報に対応した清掃対象エリアのタッチ操作を有効にするようにタッチパネル部本体２１Ｂを制御し、これを受けてメモリのフラグを例えば“００“に設定する。このように、メモリのフラグ情報は“０１“であっても“１０“であっても構わず特にフラグ情報の値自体には限定されない。
【０１１９】
また同様に、本実施形態１では、例えばその一例として、清掃エリア選択スイッチ３からの入力共通清掃情報が共通清掃対象エリア２１ｅのエリア情報として４人の全ユーザから清掃状態判定部に伝えられて、エリア情報に対応した記憶部のフラグを例えば“０４“に設定し、フラグの情報がタッチパネル制御回路２２に伝えられて、タッチパネル制御回路２２は、エリア情報に対応した共通清掃対象エリア２１ｅのタッチ操作を無効にするようにタッチパネル部本体２１Ｂを制御し、これを受けてメモリのフラグを例えば“１４“に設定する。さらに、清掃エリア選択スイッチ３からの入力共通解除情報が共通清掃対象エリア２１ｅのエリア情報として清掃状態判定部４に伝えられ、エリア情報に対応したメモリのフラグを“１４“から例えば“１０“に設定し、フラグの情報がタッチパネル制御回路２２に伝えられて、タッチパネル制御回路２２は、エリア情報に対応した共通清掃対象エリア２１ｅのタッチ操作を有効にするようにタッチパネルを制御し、これを受けてメモリのフラグを例えば“００“に設定する。このように、メモリのフラグ情報は“０４“であっても“４０“であっても、また、“１４“であっても“４１“であっても構わず特にフラグ情報の値自体には限定されない。ここでは、ユーザが４人であるからメモリのフラグ情報が“０４“および“１４“であるが、ユーザがｎ人（ｎは自然数）の場合にはメモリのフラグ情報が“０ｎ“および“１ｎ“である。したがって、メモリのフラグ情報は“０ｎ“であっても“ｎ０“であっても、また、“１ｎ“であっても“ｎ１“であっても構わず特にフラグ情報の値自体には限定されない。
【０１２０】
以上のように、本発明の好ましい実施形態１を用いて本発明を例示してきたが、本発明は、この実施形態１に限定して解釈されるべきものではない。本発明は、特許請求の範囲によってのみその範囲が解釈されるべきであることが理解される。当業者は、本発明の具体的な好ましい実施形態１の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１２１】
本発明は、液晶パネルや有機エレクトロルミネッセンスパネルなどの画像表示パネルとタッチパネルとを備えたタッチパネル表示装置および、これを用いた情報処理装置の分野において、タッチパネルは複数のユーザに応じた複数のタッチパネルエリアからタッチパネルエリア単位で一または複数の清掃対象エリアを選択するため、画面の清掃を要するエリアを、ユーザの判断に基づき効率良く清掃することができる。
【符号の説明】
【０１２２】
１、１Ａ〜１Ｄ  タッチパネル表示装置
２、２Ｂ〜２Ｄ  タッチパネル表示部
２１  タッチパネル表示ユニット
２１Ａ  表示部本体
２１Ｂ、２１Ｂ’、２１Ｂ”  タッチパネル部本体
２１ａ〜２１ｅ、２１ｂ’、２１ｄ’  清掃対象エリア
２１１Ｂ  清掃エリア選択スイッチ（仮想キーボード）
２２  タッチパネル制御回路
２３  表示部本体制御部
３、３Ａ、３Ｄ  清掃エリア選択スイッチ
３１〜３４  清掃エリア選択スイッチ（ボタンスイッチ）
４、４Ｃ、４Ｄ  清掃状態判定部
５  バス
６  制御部
７  メモリ
７１  制御プログラム記憶部
７２  一時情報記憶部
７３  セキュリティ情報記憶部
８  周辺機器
８１  アンテナ
８２  無線送受信部
８３  有線送受信部
８４  固体撮像用カメラ
８５  音声処理部
８６  音声出力部
８７  集音部
８８  タイマ
９  仮想キーボード設定手段
１０、１０Ａ〜１０Ｄ  情報処理装置
１１  テーブル
１２ａ、１２ｂ、１２ｃ、１２ｄ  表示エリア選択スイッチ
１３ａ〜１３ｄ（１３ａおよび１３ｄは不図示）  ユーザ
１４ｂ、１４ｃ  仮想キーボード
【図１】
2014063379.tif 000003
【図２】
2014063379.tif 000004
【図３】
2014063379.tif 000005
【図４】
2014063379.tif 000006
【図５Ａ】
2014063379.tif 000007
【図５Ｂ】
2014063379.tif 000008
【図５Ｃ】
2014063379.tif 000009
【図６】
2014063379.tif 000010
【図７】
2014063379.tif 000011
【図８】
2014063379.tif 000012
【図９】
2014063379.tif 000013
【図１０】
2014063379.tif 000014
【図１１】
2014063379.tif 000015
【図１２】
2014063379.tif 000016
【図１３】
2014063379.tif 000017